(57)【要約】【課題】既に設置された所定の構造物に設けられた透明ガラスに簡単に設置することができ、かつ、当該透明ガラスのプライバシー保護を行うことができる照明装置を提供する。【解決手段】所定の構造体に設けられた透明ガラスに対面させて設置される照明装置１であって、透明ガラスに対面する導光板２０と、導光板２０の端面に対向させて配置されたＬＥＤモジュール１１（光源）とを備える。【選択図】図１
2016058327.tif 000002
【特許請求の範囲】
【請求項１】
所定の構造体に設けられた透明ガラスに対面させて設置される照明装置であって、
前記透明ガラスに対面する導光板と、
前記導光板の端面に対向させて配置された光源とを備える
照明装置。
【請求項２】
前記透明ガラスは、前記所定の構造体に対して開閉自在である
請求項１に記載の照明装置。
【請求項３】
前記所定の構造体は、窓であり、
前記透明ガラスは、前記窓の窓枠に取り付けられている
請求項２に記載の照明装置。
【請求項４】
さらに、前記光源を点灯させるための電力を前記光源に供給する電源を備え、
前記電源は、前記所定の構造体に設置された給電部から無接点給電によって電力を受ける
請求項２又は３に記載の照明装置。
【請求項５】
前記導光板の一方の主面には、複数のプリズムが設けられており、
複数のプリズムの各々は、前記光源の発光により前記端面から入射した光を他方の主面側に反射する
請求項１〜４のいずれか１項に記載の照明装置。
【請求項６】
前記一方の主面が前記透明ガラスに対面している
請求項５に記載の照明装置。
【発明の詳細な説明】
【技術分野】
【０００１】
本発明は、照明装置に関する。
【背景技術】
【０００２】
発光ダイオード（ＬＥＤ：Ｌｉｇｈｔ  Ｅｍｉｔｔｉｎｇ  Ｄｉｏｄｅ）等の固体発光素子は、小型、高効率及び長寿命であることから、様々な製品の光源として期待されている。
【０００３】
例えば、電球を用いた照明装置に代替するものとしてＬＥＤを用いた照明装置が種々提案されている。ＬＥＤを用いた照明装置には、ＬＥＤから出射した光を導光する導光板を用いるものも検討されている（特許文献１）。
【先行技術文献】
【特許文献】
【０００４】
【特許文献１】特開２０１４−７８４５９号公報
【発明の概要】
【発明が解決しようとする課題】
【０００５】
ところで、住宅や店舗等において、本来照明機能の無いものに照明機能があれば便利な場合がある。
【０００６】
しかしながら、住宅や店舗等の建物が一旦建築された後は、建築構造物そのものに照明機能を持たせることは難しい。つまり、本来照明機能の無い構造物に、事後的に照明機能を持たせることは難しい。
【０００７】
一方、建築構造物には窓ガラス等のガラスが設けられているが、ガラスそのものは透明であるので、そのままでは屋外から屋内を見ることができ、プライバシーの保護に欠ける。そこで、プライバシーを保護するために、窓ガラスをすりガラスにしたり、窓ガラスを目隠しカーテンやブラインド、シャッター等で覆ったりしている。
【０００８】
しかしながら、窓ガラスをすりガラスにすると、屋外から屋内を見えなくすることができる一方で、屋内から屋外も見えなくなってしまう。また、窓ガラスを目隠しカーテン等で覆うと、カーテンの開け閉めを行わなければならず煩雑になる。
【０００９】
本発明は、このような問題を解決するためになされたものであり、既に設置された所定の構造物に設けられた透明ガラスに簡単に設置することができ、かつ、当該透明ガラスのプライバシー保護を行うことができる照明装置を提供することを目的とする。
【課題を解決するための手段】
【００１０】
上記目的を達成するために、本発明に係る照明装置の一態様は、所定の構造体に設けられた透明ガラスに対面させて設置される照明装置であって、前記透明ガラスに対面する導光板と、前記導光板の端面に対向させて配置された光源とを備えることを特徴とする。
【発明の効果】
【００１１】
既に設置された所定の構造物に設けられた透明ガラスに簡単に設置することができ、かつ、当該透明ガラスのプライバシー保護を行うことができる。
【図面の簡単な説明】
【００１２】
【図１】実施の形態に係る照明装置の斜視図
【図２Ａ】図１のＡ−Ａ線における実施の形態に係る照明装置の断面図
【図２Ｂ】図１のＢ−Ｂ線における実施の形態に係る照明装置の断面図
【図３】実施の形態に係る照明装置の設置例を示す図
【図４】実施の形態に係る照明装置の給電方法を説明するための図
【図５Ａ】実施の形態に係る照明装置を窓に設置した場合の断面図（窓閉状態）
【図５Ｂ】実施の形態に係る照明装置を窓に設置した場合の断面図（窓開状態）
【図６Ａ】実施の形態に係る照明装置を窓に設置した場合の平面図（消灯状態）
【図６Ｂ】実施の形態に係る照明装置を窓に設置した場合の平面図（点灯状態）
【図７】実施の形態に係る照明装置の他の設置例を示す図
【発明を実施するための形態】
【００１３】
以下、本発明の実施の形態について説明する。なお、以下に説明する実施の形態は、いずれも本発明の好ましい一具体例を示すものである。したがって、以下の実施の形態で示される、数値、形状、材料、構成要素、構成要素の配置位置及び接続形態、並びに、工程及び工程の順序などは、一例であって本発明を限定する主旨ではない。よって、以下の実施の形態における構成要素のうち、本発明の最上位概念を示す独立請求項に記載されていない構成要素については、任意の構成要素として説明される。
【００１４】
また、各図は、模式図であり、必ずしも厳密に図示されたものではない。なお、各図において、実質的に同一の構成に対しては同一の符号を付しており、重複する説明は省略又は簡略化する。
【００１５】
（実施の形態）
まず、実施の形態に係る照明装置１の構成について、図１、図２Ａ及び図２Ｂを用いて説明する。図１は、実施の形態に係る照明装置１の斜視図である。図２Ａは、図１のＡ−Ａ線における同照明装置１の断面図であり、図２Ｂは、図１のＢ−Ｂ線における同照明装置１の断面図である。
【００１６】
図１、図２Ａ及び図２Ｂに示すように、照明装置１は、光源ユニット１０と、導光板２０と、電源ユニット３０とを備える。本実施の形態において、照明装置１は、所定の構造体に設けられた透明ガラスに対面させて設置される。例えば、照明装置１は、窓枠に設けられた透明ガラス（窓ガラス）に対面させて設置される。
【００１７】
図２Ａ及び図２Ｂに示すように、光源ユニット１０は、ＬＥＤモジュール１１と、ＬＥＤモジュール１１を収納する筐体１２とを有する。
【００１８】
ＬＥＤモジュール１１は、導光板２０の端面２０ａに対向させて配置された光源である。つまり、ＬＥＤモジュール１１と導光板２０とはエッジライト構造となっている。
【００１９】
ＬＥＤモジュール１１は、例えば白色光を放出する発光モジュールであり、基板１１ａと、基板１１ａに実装された１個又は複数の発光素子１１ｂとを有する。
【００２０】
基板１１ａは、長尺状の基板であり、例えば配線がパターン形成された配線基板である。基板１１ａとしては、セラミック基板又は樹脂基板等を用いることができる。
【００２１】
発光素子１１ｂは、例えば、個々にパッケージ化された表面実装（ＳＭＤ：Ｓｕｒｆａｃｅ  Ｍｏｕｎｔ  Ｄｅｖｉｃｅ）型のＬＥＤ素子であり、樹脂製等の容器（パッケージ）と、容器内に配置されたＬＥＤチップ（ベアチップ）と、ＬＥＤチップを封止する封止部材とを備える。
【００２２】
また、発光素子１１ｂが白色光を放出するＳＭＤ型のＬＥＤ素子である場合、例えば、ＬＥＤチップとしては、通電されると青色光を発する青色ＬＥＤチップを用いて、容器に充填される封止部材としては、黄色蛍光体が含有されたシリコーン樹脂（蛍光体含有樹脂）を用いることができる。
【００２３】
本実施の形態では、複数の発光素子１１ｂが基板１１ａの長手方向に沿ってほぼ等間隔で実装されている。また、各発光素子１１ｂは、主発光面が導光板２０の端面２０ａと対向するように基板１１ａに配置される。
【００２４】
なお、発光素子１１ｂそのものがＬＥＤチップ（ベアチップ）であるＬＥＤ素子であってもよい。この場合、ＬＥＤモジュール１１は、ＬＥＤチップ（発光素子１１ｂ）が基板１１ａに直接実装されたＣＯＢ（Ｃｈｉｐ  Ｏｎ  Ｂｏａｒｄ）構造となる。例えば、基板１１ａとして平板状の実装基板を用いて１個又は複数個のＬＥＤチップ（発光素子１１ｂ）を当該実装基板に実装することによって、ＬＥＤモジュール１１としてＣＯＢ構造のＬＥＤモジュールを構成することができる。
【００２５】
また、白色光を放出するＣＯＢ構造のＬＥＤモジュールを用いる場合、例えば、ＬＥＤチップ（発光素子１１ｂ）として青色ＬＥＤチップを用いて、この青色ＬＥＤチップを、黄色蛍光体が含有されたシリコーン樹脂からなる封止部材で封止すればよい。
【００２６】
導光板２０は、平面視形状が矩形の板状の光学部材である。導光板２０は、透光性を有する部材であり、例えば、アクリル又はポリカーボネート等の透光性樹脂材料からなる。本実施の形態における導光板２０は、向こうが透けて見える程度に透過率が高い透明樹脂材料を用いて形成されている。
【００２７】
また、導光板２０は、例えば、フレキシブル性を有するシート状の導光シートである。これにより、導光板２０を透明ガラスに容易に貼り合わせることができる。なお、導光板２０は、リジッドなものやフィルム状のものであってもよい。
【００２８】
図２Ａ及び図２Ｂに示すように、導光板２０は、ＬＥＤモジュール１１に対向する端面２０ａを有する。また、図２Ｂに示すように、導光板２０は、対向する２つの主面を有しており、一方の主面が裏面２０ｂで、他方の主面が表面２０ｃである。
【００２９】
導光板２０の表面２０ｃは、導光板２０内を導光する光の多くが外部に出射する主光出射面（擬似発光面）である。なお、導光板２０内を導光する光は、裏面２０ｂからも外部に出射する。また、導光板２０内を導光する光は、端面２０ａとは反対側の端面（下端）からも外部に出射する。
【００３０】
図２Ｂに示すように、導光板２０の裏面２０ｂには、複数のプリズム２１が設けられている。複数のプリズム２１の各々は、ＬＥＤモジュール１１の発光により端面２０ａから入射した光を導光板２０の外に取り出すために、当該光を表面２０ｃ側に向けて反射させる。これにより、導光板２０の表面２０ｃが面状に擬似発光する。本実施の形態におけるプリズム２１は、所定形状に加工された微細な凹部であるが、凸部であってもよい。複数のプリズム２１は、例えばマトリクス状に配置されている。
【００３１】
このように構成される導光板２０は、例えば、窓ガラス（透明ガラス）に対面するように配置される。本実施の形態において、導光板２０は、プリズム２１が設けられた裏面２０ｂが窓ガラスに対面するように配置されるが、表面２０ｃが窓ガラスに対面するように配置されてもよい。
【００３２】
電源ユニット３０は、電源ボックスであり、図２Ａ及び図２Ｂに示すように、電源３１と、電源３１を収納する筐体３２とを有する。
【００３３】
電源３１は、例えば、回路基板と当該回路基板に実装された回路部品とからなる電源回路（回路ユニット）であり、電源ユニット３０が受電した電力を所定の電力に変換する。なお、電源３１には、調光回路や昇圧回路などを適宜選択して組み合わせてもよい。
【００３４】
本実施の形態において、電源３１は、無接点給電によって照明装置１の外部から電力を受ける。例えば、照明装置１が取り付けられる所定の構造体に設置された給電ユニット（不図示）から無接点給電によって電力を受ける。
【００３５】
また、電源３１は、ＬＥＤモジュール１１（発光素子１１ｂ）を点灯させるための電力をＬＥＤモジュール１１（発光素子１１ｂ）に供給する。具体的には、電源３１は、電源ユニット３０の外部から受電した電力を、ＬＥＤモジュール１１を点灯させるための電力に変換し、当該電力をＬＥＤモジュール１１に供給する。
【００３６】
例えば、電源３１は、交流電力を受電して直流電力に変換し、当該直流電力をＬＥＤモジュール１１に供給する。なお、電源３１は直流電力を受電してもよい。この場合、電源３１は、直流電力を受電して、所定の直流電力に変換し、変換した直流電力をＬＥＤモジュール１１に供給する。
【００３７】
また、電源３１とＬＥＤモジュール１１とは、例えばリード線（不図示）によって電気的に接続されており、リード線を介して電源３１からＬＥＤモジュール１１に電力が供給される。
【００３８】
次に、照明装置１の設置例について、図３を用いて説明する。図３は、実施の形態に係る照明装置１の設置例を示す図である。
【００３９】
図３に示すように、照明装置１は、例えば、住宅や店舗等の建物に設けられた窓１００に設置される。より具体的には、窓１００は、住宅のリビング等の部屋や浴室等に設けられている。
【００４０】
窓１００は、窓ガラス１１０と、窓枠１２０と、固定枠１３０とを備える。窓ガラス１１０は、窓枠１２０に取り付けられている。具体的には、窓ガラス１１０は、矩形板状であり、矩形環状の固定枠１３０に嵌め込まれて固定された状態で窓枠１２０に取り付けられている。窓枠１２０は、所定の構造体であり、建物の壁等に固定されている。
【００４１】
窓ガラス１１０は、窓枠１２０に対して開閉自在となっている。例えば、窓ガラス１１０は、固定枠１３０に固定された状態で窓枠１２０に取り付けられており、窓ガラス１１０とともに固定枠１３０を動かすことで、窓ガラス１１０の開閉を行うことができる。
【００４２】
窓ガラス１１０は、可視光に対して透明な透明ガラスであり、向こう側が透けて見える程度の高い透過率となっている。したがって、屋内のユーザは、窓ガラス１１０を介して屋外の景色を見ることができる。
【００４３】
照明装置１は、窓ガラス１１０に対面させて設置される。具体的には、照明装置１は、導光板２０を窓ガラス１１０に対面させて設置される。例えば、導光板２０の裏面２０ｂと窓ガラス１１０の表面とを貼り合わせる。
【００４４】
このとき、窓ガラス１１０の大きさと導光板２０の大きさとが一致しない場合は、窓ガラス１１０の大きさに合わせて導光板２０の大きさを加工すればよい。例えば、導光板２０として予め大きいサイズのものを用意しておき、窓ガラス１１０の大きさに合わせて現場でカットすればよい。このように、導光板２０を用いることによって、簡易的加工により窓ガラス１１０のサイズに容易に合わせることができる。
【００４５】
ここで、実施の形態に係る照明装置１の給電方法について、図３を参照しながら、図４、図５Ａ及び図５Ｂを用いて説明する。図４は、実施の形態に係る照明装置１の給電方法を説明するための図である。図５Ａ及び図５Ｂは、実施の形態に係る照明装置１を窓１００に設置した場合の断面図を示しており、図５Ａは窓１００が閉められている状態、図５Ｂは窓１００が開いている状態を示している。
【００４６】
図３及び図４に示すように、窓１００には、照明装置１に所定の電力供給するための給電ユニット２００（給電部）が設置されている。給電ユニット２００は、給電ボックスであり、給電回路２１０と、給電回路２１０を収納する筐体２２０とを有する。給電ユニット２００は、照明装置１の外部装置としてもよいし、照明装置１が備えるものであってもよい。
【００４７】
給電ユニット２００は、電源ユニット３０の電源３１に対して無接点給電を行うように構成されている。例えば、給電ユニット２００内の給電回路２１０は、商用電源等の交流電源から交流電力を受電し、当該交流電力を無接点伝送によって電源ユニット３０（電源３１）に給電する。
【００４８】
また、給電ユニット２００と電源ユニット３０とは別置されている。したがって、給電ユニット２００及び電源ユニット３０の一方を動かすことで、両者を近づけたり遠ざけたりすることができる。
【００４９】
本実施の形態では、開閉時に動く窓ガラス１１０又は固定枠１３０に電源ユニット３０が取り付けられており、開閉時に動かない構造体である窓枠１２０に給電ユニット２００が取り付けられている。これにより、窓ガラス１１０を開閉する際に、電源ユニット３０も窓ガラス１１０又は固定枠１３０とともに動くことになる。したがって、窓ガラス１１０の開閉に応じて、給電ユニット２００（筐体２２０）と電源ユニット３０（筐体３２）とが近づいたり離れたりすることになる。
【００５０】
例えば、図５Ａに示すように、窓ガラス１１０が閉められている場合（窓閉状態の場合）は、給電ユニット２００と電源ユニット３０とが最接近した状態である。この場合、本実施の形態では、給電ユニット２００（筐体２２０）と電源ユニット３０（筐体３２）とはほぼ接触しているか、僅かの隙間をあけて接近している。この状態のときに、給電ユニット２００から電源ユニット３０に対して無接点給電を行うことができる。
【００５１】
また、図５Ｂに示すように、窓ガラス１１０を開けた場合（窓開状態の場合）は、給電ユニット２００と電源ユニット３０とが離れた状態である。例えば、窓ガラス１１０の開き具合が大きくなるにしたがって、給電ユニット２００と電源ユニット３０とが次第に離れていく。
【００５２】
このように、本実施の形態では、給電ユニット２００から電源ユニット３０への給電方法として、無接点給電が採用されている。これにより、給電ユニット２００が窓枠１２０に設置されている一方で、電源ユニット３０が窓ガラス１１０に設置されているような場合であっても、窓ガラス１１０の開閉を行うことができ、また、照明装置１への給電も行うことができる。
【００５３】
つまり、無接点給電を採用することによって、窓１００に照明装置１を設置した場合であっても、ユーザは、電源コードのことを考えることなく、通常どおり窓１００の開け閉めを行うことができる。
【００５４】
なお、電源３１への給電方法は、無接点給電に限るものではなく、電源コード等を用いたものであってもよい。
【００５５】
次に、照明装置１の動作例について、図６Ａ及び図６Ｂを用いて説明する。図６Ａ及び図６Ｂは、図３と同様に実施の形態に係る照明装置１を窓１００に設置した場合を示しており、図６Ａは照明装置１の消灯状態、図６Ｂは照明装置１の点灯状態を示している。
【００５６】
図６Ａに示すように、照明装置１が消灯している状態（消灯状態）においては、ＬＥＤモジュール１１は発光しないので導光板２０には光が入射されない。このため、導光板２０は擬似発光しない。
【００５７】
したがって、この場合、照明装置１が窓１００に設置されていても単に導光板２０（透明板）が貼り付いている状態であって透明状態のままであるので、屋内のユーザは、透明ガラス１１０及び導光板２０を介して屋外の景色を見ることができる。
【００５８】
一方、図６Ｂに示すように、照明装置１が点灯している状態（点灯状態）においては、ＬＥＤモジュール１１から出射する光が導光板２０内に入射するので、導光板２０が擬似発光する。
【００５９】
したがって、この場合、窓１００（窓ガラス１１０）は、光る半透明板に見えることになり、光拡散板のような効果が得られる。これにより、屋外から屋内を見えなくすることができるので、屋内のプライバシーを保護することができる。つまり、照明装置１を、目隠しカーテンやブラインド、シャッター等の替わりとして用いることができる。
【００６０】
また、図６Ｂにおいては、照明装置１から出射する光を照明光として用いることもできる。つまり、窓ガラス１１０に対して、事後的に照明機能を持たせることができる。
【００６１】
なお、照明装置１は、図７に示すような方法で設置してもよい。図７は、実施の形態に係る照明装置１の他の設置例を示す図である。
【００６２】
図７では、窓ガラス１１０を固定する固定枠１３０が格子状の格子枠となっており、固定枠１３０には、複数の窓ガラス１１０が固定されている。図７では、４枚の窓ガラス１１０が固定枠１３０に固定されている。
【００６３】
この場合、照明装置１も各窓ガラス１１０に対応して複数設置されている。但し、図７では、電源ユニット３０は、複数の照明装置１のうちの１つの照明装置１のみが有しており、その他の照明装置１は電源ユニット３０を有しておらず、当該その他の照明装置１には、例えば、電源ユニット３０を有する照明装置１からリード線（不図示）を引き回すことによって給電を行うことができる。
【００６４】
なお、複数の窓ガラス１１０の各々に、電源ユニット３０を有する照明装置１を配置してもよいが、この場合は、給電ユニット２００も照明装置１の数だけ必要となる。
【００６５】
以上説明したように、本実施の形態における照明装置１は、窓ガラス１１０等の透明ガラスに対面する導光板２０と、導光板２０の端面に対向させて配置された光源（ＬＥＤモジュール１１）とを備える。
【００６６】
これにより、窓ガラス１１０等に透明ガラスに照明装置１を設置するだけで、照明装置１は、透明ガラスを覆う目隠しカーテン等の替わりになる。つまり、照明装置１が点灯することによって導光板２０が擬似発光するので、透明ガラスのプライバシー保護を簡単に行うことができる。
【００６７】
また、照明装置１の消灯状態においては、ユーザは、照明装置１を設置しない場合と同様に、透明な導光板２０を介して透明ガラス（窓ガラス１１０）の向こう側の景色を見ることができる。
【００６８】
さらに、照明装置１では透明ガラスに対面させる光学部材として加工が容易な導光板２０を用いているので、導光板２０を透明ガラスのサイズに容易に調整することができる。つまり、透明ガラスのサイズによらない照明装置を実現することができる。例えば、照明装置１を窓１００（窓ガラス１１０）に設置する場合、窓枠サイズに応じて導光板２０のサイズを簡単に調整することができる。
【００６９】
このように、本実施の形態における照明装置１によれば、既に設置された所定の構造物に設けられた透明ガラスに簡単に設置することができ、かつ、当該透明ガラスのプライバシー保護を行うことができる。
【００７０】
また、本実施の形態における照明装置１では、給電ユニット２００から電源ユニット３０への給電方法として、無接点給電が採用されている。
【００７１】
これにより、照明装置１が設置される透明ガラスが窓ガラス１１０のように開閉自在なものであっても、ユーザは、給電用の電源コードを考えることなく、通常どおり透明ガラスの開閉を行うことができる。
【００７２】
また、本実施の形態における照明装置１では、導光板２０の裏面２０ｂには複数のプリズム２１が設けられている。
【００７３】
これにより、導光板２０の端面２０ａから入射したＬＥＤモジュール１１の光を複数のプリズム２１によって導光板２０の表面２０ｃから導光板２０の外に容易に取り出すことができる。
【００７４】
（その他変形例等）
以上、本発明に係る照明装置について、実施の形態に基づいて説明したが、本発明は、上記の実施の形態に限定されるものではない。
【００７５】
例えば、上記の実施の形態において、照明装置１は、窓１００に設けられた窓ガラス１１０に設置したが、照明装置１は、窓１００以外の構造体に設けられた透明ガラスに設置してもよい。具体的には、照明装置１は、店舗等のショーウィンドウやショーケース等の透明ガラスに設置してもよい。また、照明装置１は、屋内外を仕切る透明ガラスに限らず、屋内の部屋同士等を仕切る透明ガラスに設置してもよい。
【００７６】
また、上記実施の形態において、ＬＥＤモジュール１１は、青色ＬＥＤチップと黄色蛍光体とによって白色光を放出するＢ−ＹタイプのＬＥＤモジュールとしたが、これに限らない。例えば、ＬＥＤモジュール１１は、青色ＬＥＤチップと、赤色蛍光体及び緑色蛍光体とを用いて白色光を放出するように構成してもよい。また、ＬＥＤモジュール１１は、青色光、赤色光及び緑色光を発するＬＥＤチップを用いて白色光を放出するように構成してもよい。
【００７７】
また、上記実施の形態において、ＬＥＤモジュール１１の出射光は一定の色温度の白色光であったが、これに限らない。例えば、異なる発光色を出射する複数の発光素子を用いて、光源ユニット１０（ＬＥＤモジュール１１）が異なる発光色を出射するように構成してもよい。この場合、異なる光色の組み合わせとしては、色温度の異なる白色光の組み合わせ、赤色と青色等のように中心波長が異なる有色光の組み合わせ、又は、白色光と有色光との組み合わせ等とすることができる。これにより、調光及び調色を行うことで、種々の照明演出を行うことができる。
【００７８】
また、上記の実施の形態では、光源ユニット１０の光源としては、ＬＥＤチップを用いたが、これに限らない。例えば、光源ユニット１０の光源としては、半導体レーザなどの半導体発光素子、有機ＥＬ（Ｅｌｅｃｔｒｏ  Ｌｕｍｉｎｅｓｃｅｎｃｅ）又は無機ＥＬ等の発光素子、その他の固体発光素子を用いてもよい。
【００７９】
その他、上記実施の形態及び変形例に対して当業者が思いつく各種変形を施して得られる形態、又は、本発明の趣旨を逸脱しない範囲で上記実施の形態及び変形例における構成要素及び機能を任意に組み合わせることで実現される形態も本発明に含まれる。
【符号の説明】
【００８０】
１  照明装置
１０  光源ユニット
１１  ＬＥＤモジュール（光源）
２０  導光板
２０ａ  端面
２０ｂ  裏面（一方の面）
２０ｃ  表面（他方の面）
２１  プリズム
３１  電源
１００  窓
１１０  窓ガラス
【図１】
2016058327.tif 000003
【図２Ａ】
2016058327.tif 000004
【図２Ｂ】
2016058327.tif 000005
【図３】
2016058327.tif 000006
【図４】
2016058327.tif 000007
【図５Ａ】
2016058327.tif 000008
【図５Ｂ】
2016058327.tif 000009
【図６Ａ】
2016058327.tif 000010
【図６Ｂ】
2016058327.tif 000011
【図７】
2016058327.tif 000012